(57)【要約】【課題】重量のある物品をも支持し得ることが可能な構造を有するオプション取付装置を提供する。【解決手段】複数の脚（８，１７）に支持される天板（５，１６）を備えるテーブル（２）に対して結合されるオプション取付装置（１）であって、オプション部材（１５）の取り付けが可能な正面視平行四辺形部分（２６）を有する枠（２７）からなり、枠（２７）を構成する少なくとも一方の端部に位置する第一枠部材（２８）が、枠（２７）の正面視平行四辺形部分（２６）が天板（５，１６）上側に位置する状態でテーブル（２）に固定される場合にテーブル（２）を載せる面に達する長さを有するものである。【選択図】図１
2008099767.tif 000002
【特許請求の範囲】
【請求項１】
複数の脚に支持される天板を備えるテーブルに対して結合されるオプション取付装置であって、
オプション部材の取り付けが可能な正面視平行四辺形部分を有する枠からなり、
枠を構成する少なくとも一方の端部に位置する第一枠部材が、枠の正面視平行四辺形部分が天板上側に位置する状態でテーブルに固定される場合にテーブルを載せる面に達する長さを有するオプション取付装置。
【請求項２】
テーブルが、平面視平行四辺形である天板を有する基本テーブル、天板上側に配置される基本枠、及び基本テーブルの天板とほぼ面一で天板の使用端に対して使用端がほぼ直交するように連接される拡張天板とその拡張天板を支持する脚とを備える拡張テーブル部とからなり、
枠が拡張天板の反使用端に配置され、第一枠部材が拡張テーブル部の脚に固定され、第一枠部材に対向する第二枠部材が基本枠に接続される請求項１記載のオプション取付装置。
【請求項３】
枠が、天板の側端と拡張天板の反使用端とを合わせた長さを有する請求項２記載のオプション取付装置。
【請求項４】
基本枠が、両端に連結支柱を結合されてなり、
第二枠部材が、連結支柱を介して基本枠に接続される請求項２又は３記載のオプション取付装置。
【請求項５】
オプション部材が、棚板である請求項１、２、３又は４記載のオプション取付装置。
【請求項６】
第一枠部材及び第二枠部材が、棚板を係合させる係合部を備える請求項２、３又は４記載のオプション取付装置。
【請求項７】
デスクトップパネルを構成する請求項１〜６いずれかに記載のオプション取付装置
【発明の詳細な説明】
【技術分野】
【０００１】
本発明は、デスクトップパネルを構成したり棚などのオプションを取り付けるためのオプション取付装置に関するものである。
【背景技術】
【０００２】
従来、机やテーブルにおいて、天板上を効率よく使用することができるように、例えば棚を天板の反使用端側に設けることがある。このような棚の一例として、特許文献１に記載のものが知られている。
【０００３】
特許文献１に記載のものでは、机の脚板に幕板を取り付け、その幕板の上端に支持部材を介して棚板を取り付ける構造である。この場合に、幕板は、その下端において受け金具により高さを変更可能にして脚板に取り付けられる。
【特許文献１】特開平９−２９４６３５号公報
【発明の開示】
【発明が解決しようとする課題】
【０００４】
ところが、このような構成のものであると、幕板は受け金具により取り付けられているので、棚板に比較的重量のある物品を載せるには、構造上問題がある。すなわち、幕板、棚板及び載せられた物品の合計した重量は、受け金具に集中するものである。それ故、受け金具の剛性が低いと、重量のある物品を棚板に載せた場合に変形するおそれがある。このような不具合を解決するために、受け金具の剛性を高めるべく構造を複雑にしたり、強度の高い部材を使用すると、製造コストを高くする結果を招くものである。
【０００５】
また、受け金具は、複数のボルトにより固定してあるが、これらのボルトにも剪断方向に荷重がかかることになる。したがって、上述したような荷重がかかると、ボルトを疲労しやすくするものとなった。
【０００６】
そこで本発明は、このような不具合に鑑みて、重量のある物品をも支持し得ることが可能な構造を有するオプション取付装置を提供しようとするものである。
【課題を解決するための手段】
【０００７】
すなわち、本発明のオプション取付装置は、複数の脚に支持される天板を備えるテーブルに対して結合されるオプション取付装置であって、オプション部材の取り付けが可能な正面視平行四辺形部分を有する枠からなり、枠を構成する少なくとも一方の端部に位置する第一枠部材が、枠の正面視平行四辺形部分が天板上側に位置する状態でテーブルに固定される場合にテーブルを載せる面に達する長さを有することを特徴とする。
【０００８】
このような構成によれば、オプション部材を取り付け得る正面視平行四辺形部分を有する枠を構成する第一枠部材が、テーブルを載せる面例えば床に達する長さを有している。言い換えれば、枠の正面視平行四辺形部分は、第一枠部材を介してテーブルを載せている面に支持されるものである。したがって、使用時において、正面視平行四辺形部分にオプション部材を取り付けてそのオプション部材に重量のある物品により荷重をかけたとしても、適切に支持することが可能になる。
【０００９】
第一枠部材の固定を容易にするためには、テーブルが、平面視平行四辺形である天板を有する基本テーブル、天板上側に配置される基本枠、及び基本テーブルの天板とほぼ面一で天板の使用端に対して使用端がほぼ直交するように連接される拡張天板とその拡張天板を支持する脚とを備える拡張テーブル部とからなり、枠が拡張天板の反使用端に配置され、第一枠部材が拡張テーブル部の脚に固定され、第一枠部材に対向する第二枠部材が基本枠に接続されるものが好ましい。このような構成にあっては、枠が、天板の側端と拡張天板の反使用端とを合わせた長さを有するものが挙げられる。
【００１０】
テーブルとの結合をさらに強固なものにするためには、基本枠が、両端に連結支柱を結合されてなり、第二枠部材が、連結支柱を介して基本枠に接続されるものが好適である。
【００１１】
オプション部材としては、棚板が挙げられる。このような棚板を容易に枠に取り付けるには、第一枠部材及び第二枠部材が、棚板を係合させる係合部を備えるものが好ましい。
【発明の効果】
【００１２】
本発明は、以上説明したような構成であり、オプション部材を取り付け得る正面視平行四辺形部分を有する枠を構成する第一枠部材が、テーブルを載せる面例えば床に達する長さを有しているので、正面視平行四辺形部分は、実質的に第一枠部材を介してテーブルを載せている面に支持されることになり、使用時において、正面視平行四辺形部分にオプション部材を取り付けてそのオプション部材に重量のある物品により荷重をかけたとしても、適切に支持することことができる。
【発明を実施するための最良の形態】
【００１３】
以下、本発明の一実施形態を、図１〜４を参照して説明する。
【００１４】
オプション取付装置１は、デスクトップパネルを構成するものであって、図１に示すように、テーブル２を構成する基本テーブル３と拡張テーブル部４とにまたがって配置されるものである。基本テーブル３は、拡張テーブル部４を接合し得る構成を有するものであれば、その形状や構成は限定されるものではない。この実施形態の基本テーブル３は、平面視平行四辺形である複数の平面視長方形の天板（以下、基本天板と称する）５と、その基本天板５を支持する第一及び第二フレーム６，７並びに脚８と、オプション取付装置としても機能する基本枠たるデスクトップパネル９とを備えている。この実施形態においては、背合わせに配置される一方の基本テーブル３の基本天板５の使用端５ａ側における、端位置と中間位置とに拡張テーブル部４が連結されるものを説明するが、必要に応じてその数を設定すればよく、拡張テーブル部４を両方の基本テーブル３の使用端５ａ側に連結するものであってもよい。
【００１５】
それぞれの基本天板５は、平面視において、三行二列に相互に接して配置される。第一フレーム６と第二フレーム７とはほぼ平行に配置され、使用時において、六枚の基本天板５それぞれが長さ方向において歪むことを防ぐものである。脚８は、六枚を合わせた状態で実質的に一枚とみなした天板の、四隅近傍に配置される端部脚部材１０と、それぞれの基本天板５の長さ方向の連結境界の近傍に配置される中間脚部材１１とで構成される。端部脚部材１０は、上横架材５０によりその上端が接続してあるとともに、その中間部分が下横架材１２により接続されている。中間脚部材１１は、どのような位置において椅子に座ってテーブル２に向かっても下肢空間が十分に存在するように配置するものである。
【００１６】
デスクトップパネル９は、各基本天板５の長さに対応した単位枠１３と、単位枠１３を連結した全体の両端に固定される連結支柱である端支柱１４とで構成される。各単位枠１３は、縦枠部材１３ａと横枠部材１３ｂとから構成され、その隣り合う縦枠部材１３ａ同士をボルトとナットとで固定して連結される。また、縦枠部材１３ａは、オプション部材としての棚板１５を着脱可能に取り付けられるように、所定の間隔をあけて長方形の貫通孔が設けてある。そして単位枠１３を連結した全体の長さは、基本天板５の長さを合計したものにほぼ等しい。端支柱１４は、両端の単位枠１３の外側に位置する縦枠部材１３ａに固定されるもので、その上端が単位枠１３の上端にほぼ一致して位置し、基本テーブル３が置かれる床Ｆの近傍に達する長さを有している。このような構成のデスクトップパネル９は、図示しないスペーサを介して端支柱１４が下横架材１２に固定されることにより、基本テーブル３に取り付けられる。
【００１７】
拡張テーブル部４は、図２〜４に示すように、拡張天板１６と、拡張天板１６を支持する拡張脚１７及び拡張フレーム１８を備えている。また、この実施形態にあっては、配線ダクト１９を備えるものである。拡張天板１６は例えば、基本天板５の約半分程度の面積を有するもので、拡張脚１７と拡張フレーム１８とにより支持される。端位置に配置される拡張テーブル部４の拡張天板１６は、その反使用端１６ｂ側の隅部を基本天板５の使用端５ａ側における左隅に合わせて、また中間位置に配置される拡張テーブル部４の拡張天板１６は、その反使用端１６ｂ側の隅部を基本天板５の使用端５ａのほぼ中央に合わせて、面一になるようにして配置される。この場合に、拡張天板１６は、その使用端１６ａが基本天板５の使用端５ａに対してほぼ直交するように連接されるものである。
【００１８】
拡張フレーム１８は、拡張天板１６の中央から使用端１６ａ側及び反使用端１６ｂ側に偏った位置にそれぞれ配置されて平行である部材からなり、基本天板５側の端部を第二フレーム７に係合させているとともに、反基本天板側の端部は拡張脚１７を構成する拡張上横架材２０に接続されている。したがって、拡張フレーム１８は、第二フレーム７にほぼ直交するようにして配置される。そして、この実施形態においては、拡張天板１６の下面において、拡張フレーム１８にほぼ平行に、しかも拡張フレーム１８より外側つまり拡張天板１６の反使用端１６ｂ側の下側において配線ダクト１９が配置される。配線ダクト１９は、拡張テーブル部４を基本テーブル３に連結した状態で、拡張天板１６の側端近傍から基本天板５の反使用端５ｂの近傍まで延びるものである。
【００１９】
拡張脚１７は例えば、断面形状がほぼ正方形の二本の角柱脚部材２１と、それらの角柱脚部材の上端部を接続する拡張上横架材２０と、角柱脚部材２１の中間位置を接続するｓ拡張下横架材２２とから構成される。角柱脚部材２１それぞれは、拡張天板１６の基本天板５から遠い端部近傍に配置されるもので、一方の角柱脚部材２１は拡張天板１６の反使用端１６ｂ側における隅部に配置され、他方の角柱脚部材２１は拡張天板１６の使用端１６ａ側における隅部に配置される。そして、一方の角柱脚部材２１の、基本天板５の側面に連続する側の外面は、拡張天板１６の反使用端１６ｂの側面とほぼ面一となる。一方の角柱脚部材２１には、オプション取付装置１を固定するためのボルト２３が貫通する取付孔２４が、その下端近傍に一カ所、中央より上の部分に二カ所それぞれ設けてある。なお、この実施形態の拡張脚１７は、それぞれの角柱脚部材２１が高さ調整用のアジャスタ２５を備えるものである。
【００２０】
オプション取付装置１は、図４に示すように、パンチングメタルや透光性パネルさらには遮光パネル、遮音パネルなどを取り付けることができ、実質的にデスクトップパネルとして機能する正面視平行四辺形部分である長方形部分２６を有する枠２７を備えている。長方形部分２６は、第一枠部材２８と第二枠部材２９及び上下枠部材３０，３１からなる。第一枠部材２８は、その上端を上枠部材３０の一方端に結合している。第二枠部材２９は、その上端を上枠部材３０の他方端に結合するとともに、その下端近傍を下枠部材３１の一方端に結合している。下枠部材３１の他方端は、第一枠部材の中間部分に結合される。この場合、上枠部材３０と下枠部材３１とは、ほぼ平行であるとともに、第一枠部材２８に対してほぼ直角に結合される。このように各枠部材２８，２９，３０，３１を結合することにより、長方形部分２６を形成する。なお、図４は、テーブル２を単位として見た場合には側面図となるものであるが、オプション取付装置１単体に関しては背面から見た正面図となる。そして、長方形部分２６は、正面形状と背面形状とを同一にするものである。
【００２１】
第一枠部材２８は、長方形部分２６を基本天板５と拡張天板１６との上側に位置させた場合に、その下端が基本テーブル３を載せている面である床Ｆに達する長さを有している。つまり、第一枠部材２８は、長方形部分２６を形成するための部材として機能するとともに、この長方形部分２６を支持するための脚部材としても機能している。なお、この実施形態の第一枠部材２８は、高さ調整用のアジャスタ２５を備えるものである。
【００２２】
また、第一枠部材２８と第二枠部材２９とは、オプション取付装置１が基本テーブル３及び拡張テーブル部４に跨って取り付けられた場合に、少なくともそれぞれの天板５，１６に面するその前壁には、オプション部材である棚板１５を取り付けるための係合部を構成する取付角孔３２が所定の間隔をあけて設けてある。棚板１５は、左右の側板１５ａと、側板１５ａ間に取り付けられる平板１５ｂとで構成され、それぞれの側板１５ａの後部に形成される係合爪（図示しない）を取付角孔３２に係合させることによって所望の高さ位置に取り付ける。この実施形態にあっては、第一枠部材２８と第二枠部材２９との後壁にも、取付角孔３２が設けてある。そして、この取付角孔３２の間隔に対応させて、取付孔２４が設けてある。このような棚板１５の取付構造にあっては、この分野で広く知られているものを適用することができる。
【００２３】
このような構成のオプション取付装置１は、基本テーブル３に拡張テーブル部４を連結したテーブル２に対応させて取り付けられる。オプション取付装置１は、第一枠部材２８を拡張天板１６の反使用端１６ｂ側の角柱脚部材２１に、ボルト２３を用いて第一枠部材２８を固定するとともに、第二枠部材２９を基本テーブル３に連結することにより、基本テーブル３及び拡張テーブル部４に対して取り付けるものである。
【００２４】
オプション取付装置１の基本テーブル３に対する連結は、基本テーブル３の端部に対して取り付けられるオプション取付装置１の場合と、基本天板５の中間位置に配置される場合とでは異なっている。まず、基本テーブル３の端部においてオプション取付装置１を取り付ける場合は、第二枠部材２９を端支柱１４にボルト及びナットにより固定して連結する。したがって、オプション取付装置１は、その長方形部分２６が第一枠部材２８と基本テーブル３の端部脚部材１０とにより実質的に支持されることになる。これに対して、オプション取付装置１を基本天板５の中間位置に配置する場合は、第二枠部材２９を単位枠１３の上下の横枠部材１３ｂに固定することにより連結するものである。
【００２５】
このようにオプション取付装置１は、基本テーブル３及び拡張テーブル部４にまたがって取り付けた状態において、長方形部分２６が基本天板５の奥行き方向及び拡張天板１６の幅方向のそれぞれの上側に配置され、その長方形部分２６に対して着脱可能に棚板１５を取り付けることができる。この使用状態において、オプション取付装置１は、基本テーブル３の脚８及び拡張テーブル部４の拡張脚１７に固定されて、しかも第一枠部材２８が基本テーブル３及び拡張テーブル部４を置いている床Ｆに接しているので、棚板１５に比較的重量のある物品例えば測定機器や表示装置などを置いても、その荷重を第一枠部材２８と拡張テーブル部４の拡張脚１７と基本テーブル３の脚８とで支えることができる。したがって、安定した状態で、オプション部材である棚板１５の上に置かれたそれらの物品を支持することができる。また、長方形部分２６が基本天板５及び拡張天板１６の上に位置するので、長方形部分２６にパネルをセットすることにより、拡張テーブル部４を使用する場合にデスクトップパネルとして機能する。
【００２６】
拡張テーブル部４は、基本天板５から遠い拡張天板１６の端部に拡張脚１７が配置されるのみである。つまり、拡張天板１６と基本天板５とが接する基本天板５の使用端５ａの近傍位置の下には、拡張天板１６を支持する部材は存在しない。それゆえ、拡張天板１６下から基本天板５下に連続する空間に障害となるものがなく、各天板５，１６下の下肢空間を最大限に広く形成することができる。
【００２７】
なお、上記実施形態では、第一枠部材２８が床Ｆに達する長さを有するものを説明したが、第二枠部材２９も同一の長さを有するものであってもよい。このような第一枠部材２８と第二枠部材２９とが床まで達する長さを有するオプション取付装置１は、テーブル２の端部に配置する場合に限られるものである。そして、この場合には、デスクトップパネル９に固定された端支柱１４は、省略することも可能であり、第二枠部材２９を端支柱１４として機能させればよい。
【００２８】
また、基本枠１３を、取付用金具あるいはブラケットを用いて、基本テーブル３の第一フレーム６や中間脚部材１１などに支持させ、端支柱１４を削除する構成では、オプション取付装置１の第二枠部材２９を例えばＬ字金具を用いて基本枠１３に固定するものであってもよい。
【００２９】
その他、各部の具体的構成についても上記実施形態に限られるものではなく、本発明の趣旨を逸脱しない範囲で種々変形が可能である。
【図面の簡単な説明】
【００３０】
【図１】本発明の実施形態の使用状態を示す斜視図。
【図２】同実施形態の基本テーブルの一部及び拡張テーブル部の天板を省略した状態で示す平面図。
【図３】同実施形態の使用状態を示す一部省略正面図。
【図４】同実施形態の使用状態を示す一部省略側面図。
【符号の説明】
【００３１】
２…テーブル
５…基本天板
８…脚
１６…拡張天板
１７…拡張脚
２６…長方形部分
２７…枠
２８…第一枠部材
【図１】
2008099767.tif 000003
【図２】
2008099767.tif 000004
【図３】
2008099767.tif 000005
【図４】
2008099767.tif 000006